(57)【要約】      （修正有）【課題】部屋の装飾性並びにインテリアとしての機能を高めることが出来るカーテンを提供する。【解決手段】窓空間に装着される１枚のカーテン生地にほぼ全面にわたって風景などの図形を形成したもので、図形はパソコンに入力した写真の画像を基にしてプリントしている。【選択図】図１
0003217772.tif 000002
【実用新案登録請求の範囲】
【請求項１】
窓空間に装着される１枚のカーテンにおいて、このカーテン生地のほぼ全面にわたって風景などの図形を形成したもので、該図形はパソコンに入力した写真の画像を基にしてプリントしたことを特徴とする図形カーテン。
【請求項２】
窓空間に対をなして装着される２枚生地から成るカーテンにおいて、この２枚のカーテン生地に跨ってほぼ全面にわたって風景などの図形を形成したもので、左側カーテン生地及び右側カーテン生地の図形はパソコンに入力した写真の画像を基にしてプリントし、両カーテン生地の突き合わせ部は三巻仕上げし、左右のカーテン生地を閉じた場合に、描いた図形にズレが生じないようにしたことを特徴とする図形カーテン。
【考案の詳細な説明】
【技術分野】
【０００１】
本考案は図形を形成したカーテンであって、該図形はカーテン生地全面にわたって連続して形成された図形カーテンに関するものである。
【背景技術】
【０００２】
カーテンといってもその形態は色々あり、一般的には図形や模様が形成されている。勿論、無地のカーテンもあるが、外から窓ガラスに照射する太陽光を遮る役目と共に、部屋のインテリア及び装飾的効果を目的としている為に、無地のカーテンよりも図形や模様を形成している方が好まれる。カーテンに使用される図形や模様といって多種・多様であり、基本的には各自の好みに合った図柄を形成したカーテンが購入される。
【０００３】
窓は一般に横幅が１間（１８００ｍｍ）あって、この窓にカーテンが取付けられ、窓ガラスからの光を遮ると共に、部屋のインテリアとして効果を有している。
ところで、従来のカーテンに形成される図柄は多種・多様であるが、例えば、織りによってパターンを特徴付けたものとして、ドビー織、ジャカード織、ダマスク織などがある。また、プリントによる多様なパターンを特徴付けたものに、花柄をプリントしたもの、格子（チェック）や縞柄（ストライプ）をプリントしたもの、幾何学模様や抽象的な柄をプリントしたドレープカーテンなどが知られている。
【０００４】
カーテンに使われる図形としては、基本的に同一模様が上下方向並びに左右方向（横方向）に繰り返し連続した形態と成っているものが大半である。そして、図形自体も比較的控えめなものが用いられていることが多い。
すなわち、鮮やかな色彩を用いて形成した図形より、控えめな図形カーテンの方が心は落ち着くのかもしれない。
【０００５】
カーテンに関する技術文献も色々知られている。特開２０１７−２２５５１７号に係る「凹凸模様を形成したカーテン」は、カーテンとしての装飾性を損なうことなく、部屋に差し込む紫外線の透過を抑制するものである。そこで、カーテンの表面に凹凸模様を形成し、この凹凸模様にて紫外線がカーテン生地を透過しにくいようにしている。
【０００６】
実用新案登録第第３０２８１９５号に係る「木目模様カーテン」は、透視できる織物を二枚重ね合わせ、表面に木目様の模様が現出する。また透視できる織物を二枚重ね合わせ、それらをある程度の間隔で保持するように部分的に接着して、空間を保った状態で配置し構成し、表面に木目様の模様が見えるカーテン、さらには表側の織物表面に予めプリント加工などにより模様を施す木目模様カーテンである。
【特許文献１】特開２０１７−２２５５１７号に係る「凹凸模様を形成したカーテン」
【特許文献２】実用新案登録第第３０２８１９５号に係る「木目模様カーテン」
【考案の開示】
【考案が解決しようとする課題】
【０００７】
このように、色々な図柄をもって形成して遮光のみならず、部屋のインテリアとして機能するようにしたカーテンが多用されている。本考案に係るカーテンは遮光性は言うまでもなく、部屋の装飾性並びにインテリアとしての機能をさらに高めることが出来るカーテンを提供する。
【課題を解決するための手段】
【０００８】
本考案に係るカーテンは、カーテン生地に大きな図形や模様を形成している。すなわち、カーテン生地全体にわたって形成される図形や模様であり、従来のように細かい同じ図柄を上下方向及び横方向に繰り返すものではない。
例えば、カーテン生地全体にわたって富士山を描いている図形、またカーテン生地全体にわたって有名な日本庭園（例えば、兼六園など）を描いている図形を形成することが出来る。
【０００９】
ところで、本考案のカーテン型式は１枚生地によって構成したカーテンを１間（１８００ｍｍ）幅の窓に装着される場合と、対を成す２枚生地によって構成したカーテンを装着する場合であり、２枚生地の場合は閉じた場合に中央にて突き合わされる。
上記２枚生地で構成したカーテンは、２枚生地に跨って図柄が形成され、中央の突合せ部にて図柄が途切れたり、ズレたりしないようにしている。
【考案の効果】
【００１０】
本考案のカーテンはカーテン生地全体にわたって１つの図形が描かれている。したがって、部屋に大きな絵画やタベストリーが装着されているような雰囲気を作ることが出来、図柄にもよるが風景を描いたものであれば、癒し効果も得られて落ち着いた部屋空間を構成することが可能となる。
【００１１】
そして、不要な場合には上レールに沿って片隅に折畳んで収納することが出来、従来の額に入った絵画や吊紐を介して吊設されているタベストリーのように壁面から取外す必要はない。
そして、カーテンに描かれる図柄は全体にわたって形成される１つの大きな図形や模様であるが、パソコンと連結したプリンターを使って、カーテン生地に正確にしかも簡単に描くことが出来る。パソコンには自ら写した写真を入力し、この写真データを使ってカーテン生地にプリントすることが可能であり、好みの図柄を形成したカーテンを作ることが出来る。
【図面の簡単な説明】
【００１２】
【図１】１枚のカーテン生地に富士山を描いたカーテンを示す実施例。
【図２】対を成す２枚のカーテン生地に富士山を描いたカーテンを示す実施例。
【図３】（ａ）は三巻シロを設けて左半分の富士山を描いたカーテン生地、（ｂ）は三巻シロを設けて右半分の富士山を描いたカーテン生地。
【考案を実施するための形態】
【００１３】
図１は考案に係るカーテンを示す実施例である。同図の１はカーテン生地、２は上レール、３はスライダー、４は吊具を表し、該スライダー３，３・・・は上レール２を移動出来るように遊嵌し、吊具４，４・・・を介してカーテン生地１を吊り下げている。吊具４，４・・・はカーテン生地１の上縁に取付けられ、カーテンの開閉に伴ってスライダー３，３・・・は上レール２を移動することが出来る。
【００１４】
ところで、本考案のカーテンは、そのカーテン生地１のほぼ全面（全域）にわたって大きな図形が描かれ、従来のカーテンの図柄に比較して目立つ図形や模様としている。しかし、該図形は大きい為に目立つが、部屋に装着することで息苦しいようなものであってはならない。形成される図形はカーテン生地全面にわたる大きさであり、窓に装着することで遮光性と共に癒し効果が得られるように、描かれる図形は主に風景画が適している。
【００１５】
図１のカーテン生地１には富士山５が描かれ、１間（１８００mm）幅の窓に装着されるカーテンのほぼ全面にわたって、上記富士山５を形成している。
カーテン生地１に描かれる図形は自由であり、富士山５が癒し効果として適しているか否かによって異なり、好みの図形を描くことが可能である。
自らがカーテン生地１の図形として好ましい風景写真をカメラで撮り、この写真をパソコンに入力し、該パソコンに接続したプリンターを作動して写真と同じ図形を描くことが出来る。
【００１６】
図２は対を成す２枚のカーテン生地６a、６bに跨って同じように富士山５を描いている実施例である。一方のカーテン生地６aには左半分の富士山７aが描かれ、他方のカーテン生地６bには右半分の富士山７bが描かれる。そして、カーテン生地６aとカーテン生地６bが閉じられることで中心にて突き合わされ、上記富士山５となる。
【００１７】
ところで、２枚のカーテン生地６a、６bを作るに当たって、前記図１に示す１枚のカーテン生地１を半分に裁断することは出来ない。
図３（ａ）はカーテン生地６ａを、図３（ｂ）はカーテン生地６ｂを表していて、富士山５の中央に設けている中心８から巾Ａの三巻シロ９ａ，９ｂを設けている。すなわち、カーテン生地６ａには富士山５の中心８から左側の画像をプリントすると共に該中心８から巾Ａの三巻シロ９ａを残して裁断し、同じくカーテン生地６ｂには富士山５の中心８から右側の画像をプリントすると共に該中心８から巾Ａの三巻シロ９ｂを残して裁断する。
【００１８】
そして、上記三巻シロ９ａはカーテン生地６ａの耳として三巻仕上げされ、上記三巻シロ９ｂはカーテン生地６ｂの耳として三巻仕上げされる。従って、三巻仕上げしたカーテン生地６ａ，６ｂはスライダー３，３・・・の吊具４，４・・・に吊設され、上レール２に遊嵌しているスライダーと共に移動し、開閉することが出来る。
閉じた状態は図２に示すように中心８が突き合わされ、富士山５の画像がズレることがないように形成される。勿論、吊具４，４・・・に吊設されるカーテン生地６ａ，６ｂは上下方向のズレも生じないように調整される。
【００１９】
本考案のカーテンはそのカーテン生地に富士山やその他の風景を画像としてプリントし、カーテンの図形として用いることが出来る。
窓幅１間もあるカーテン全面に風景などの図柄を形成することで、該カーテンを装着した部屋の雰囲気は変わり、その人の好みにもよるが大きな癒し効果が得られる。
【００２０】
このような、大きな図形を絵画として部屋の壁面に取付けることは容易でなく、また近年のマンションでは壁面にこのような大きなスペースもない。窓は明かり取入れ、新たな空気を入れ替える必要があることから、必要な空間であり、本考案はこの窓に装着するカーテンを利用して癒し効果のある図形を形成している。
【符号の説明】
【００２１】
１   カーテン生地
２   上レール
３   スライダー
４   吊具
５   富士山
６   カーテン生地
７ａ 左半分の富士山
７ｂ 右半分の富士山
８   中心
９   三巻シロ
【図１】
0003217772.tif 000003
【図２】
0003217772.tif 000004
【図３】
0003217772.tif 000005